(57)【要約】【課題】携帯に便利で、ユーザに特定の気体をいつでも供給することができる気体供給構造を提供する。【解決手段】  気体供給構造は、 瓶体１０、頂部１１、放出部４０及び呼吸器６０を備える。瓶体１０は、開口部を有する。頂部１１は、第１の流路１１４、螺合部１１１及び接合端１１３を有する。第１の流路１１４は、螺合部１１１と接合端１１３とを連通させて頂部１１の内部に貫設される。螺合部１１１は、開口部に螺合される。放出部４０は、接続端４１、接続部４２及び弁体４３１を有する。接続端４１と接続部４２との間には、連通孔４３２が設けられる。連通孔４３２の中央部には、弁体４３１が配置される。弁体４３１の外側には、バルブ４３が接続される。接続端４１は、接合端１１３に接続される。呼吸器６０は、接続部４２に連通する導管６１を有する。【選択図】図５
0003171483.tif 000002
【実用新案登録請求の範囲】
【請求項１】
瓶体、頂部、放出部及び呼吸器を備える気体供給構造であって、
前記瓶体は、開口部を有し、
前記頂部は、第１の流路、螺合部及び接合端を有し、前記第１の流路は、前記螺合部と前記接合端とを連通させて前記頂部の内部に貫設され、前記螺合部は、前記開口部に螺合され、
前記放出部は、接続端、接続部及び弁体を有し、前記接続端と前記接続部との間には、連通孔が設けられ、前記連通孔の中央部には、前記弁体が配置され、前記弁体の外側には、バルブが接続され、前記接続端は、前記接合端に接続され、
前記呼吸器は、前記接続部に連通する導管を有することを特徴とする気体供給構造。
【請求項２】
前記瓶体は、水素の透過を防ぐ金属からなることを特徴とする請求項１に記載の気体供給構造。
【請求項３】
前記頂部の上端部には、前記第１の流路に対応した箇所に、表示部を有する圧力計が接続され、
前記圧力計は、前記瓶体内の気体の圧力を検知し、
前記表示部は、圧力値を表示することを特徴とする請求項１に記載の気体供給構造。
【請求項４】
前記放出部の前記接続部と前記呼吸器との間には、凝縮装置が配置され、
前記凝縮装置は、流路ベース及び収納部を有し、前記流路ベース内には、前記流路ベースの両側を連通させるように複数の第２の流路が設けられ、前記第２の流路は、前記収納部内で下向きに延設された凝縮管を有し、
前記第２の流路は、一方の側部が前記接続部に接続され、他方の側部がロータリージョイントに接続され、前記ロータリージョイントには、前記導管が接続され、前記瓶体から放出されて前記収納部内に入る気体の水分を凝縮させることを特徴とする請求項１に記載の気体供給構造。
【請求項５】
前記呼吸器は、ユーザの鼻を覆うように装着され、放出された気体をユーザに供給することを特徴とする請求項１に記載の気体供給構造。
【請求項６】
前記頂部の底部に設けられた螺着端の中心箇所に、凹部が設けられ、
前記凹部の中心箇所には、雌ねじ孔が設けられ、
前記雌ねじ孔には、凝縮部材が螺設されていることを特徴とする請求項１に記載の気体供給構造。
【請求項７】
前記凝縮部材は、前記雌ねじ孔に接合される螺着端が一方の端部に設けられ、凝縮端が他方の端部に設けられ、空気が前記凝縮端を通ると、空気中の水分を凝縮させることを特徴とする請求項６に記載の気体供給構造。
【考案の詳細な説明】
【技術分野】
【０００１】
本考案は、気体供給構造に関するものであり、さらに詳しくは、携帯に便利で、ユーザに特定の気体をいつでも供給することができる気体供給構造に関するものである。
【背景技術】
【０００２】
一般に人体は、汚染された環境、疲労状態又は特殊な高温高圧の状態下にある場合でも、特定の気体を吸入し、体内に特定の栄養分を摂取すると、正常な活動ができるまで身体を回復させることができる。
【０００３】
現在、市販されている特定の気体を供給する方法は、高圧充填されたガスボンベに呼吸器を組み合わせたものであり、ユーザは、呼吸器を装着して使用する。一般に、上述の気体を充填させるタイプのガスボンベはボンベ本体が大型であり、充填された特定の気体を放出し終った後、特定の工場に回収し、気体を再び充填し、繰り返し使用することができるため、コストを抑えることができる。
【０００４】
しかし、気体が充填されたガスボンベは、非常に重く大型であるため、長期的に管理することができる場所が必要である。また、気体を再び充填したり異なる気体に交換したりする際には、製造した工場に回収して行う必要があり、特定の気体を必要なときに供給して使用することができないため不便である。
【０００５】
上述の特定の気体には、一般に周知の酸素の他に、水素中に存在することが新たに発見された「活性水素イオン（Ｈ＋）」がある。この特殊な水素イオンは、人体にとって非常に重要なエネルギー源であり、細胞の健康状態に影響することが科学者により発見されている。周知の如く、身体にとって酸素は不可欠であり、人間は酸素がなければ生きていくことができない。しかし、酸素は、体内で細胞又はミトコンドリアＤＮＡを破壊し、身体の不調をもたらしたり老化を促進したり癌などの重大な疾病を引き起こしたりする活性酸素（ラジカル）を生み出すことがある。一方、水素イオンは、体内の各細胞内に入ると、過剰な酸素の代わりに、人体にとって重要なエネルギー源となり、健康を増進させる。上述したように、酸素及び水素はともに人体にとって非常に重要である。また水により化学変化を発生させると、酸素又は水素イオンを含む気体を空気中に放出させることができる。例えば、「水素化ケイ素パウダー（ｓｉｌｉｃａ  ｈｙｄｒｉｄｅ  ｐｏｗｄｅｒ）」というミネラルは、表面に水素イオンを長期間、安定的に付着させることができ、水に接触すると、水素イオンが長時間安定的に放出される。そのため、この特徴を利用し、水素化ケイ素パウダーから製造された健康食品がメーカにより市販されている。水素化ケイ素パウダーから放出される水素イオンを体内に直接吸入して栄養分を摂取することは効果的であるが、水素イオンを収集して吸入することができる製品は従来市販されていなかった。
【考案の開示】
【考案が解決しようとする課題】
【０００６】
本考案の目的は、携帯に便利で、ユーザに特定の気体をいつでも供給することができる気体供給構造を提供することにある。
【課題を解決するための手段】
【０００７】
前記課題を解決するために、本考案によれば、
瓶体、頂部、放出部及び呼吸器を備える気体供給構造であって、
前記瓶体は、開口部を有し、
前記頂部は、第１の流路、螺合部及び接合端を有し、前記第１の流路は、前記螺合部と前記接合端とを連通させて前記頂部の内部に貫設され、前記螺合部は、前記開口部に螺合され、
前記放出部は、接続端、接続部及び弁体を有し、前記接続端と前記接続部との間には、連通孔が設けられ、前記連通孔の中央部には、前記弁体が配置され、前記弁体の外側には、バルブが接続され、前記接続端は、前記接合端に接続され、
前記呼吸器は、前記接続部に連通する導管を有することを特徴とする気体供給構造
が提供される。
【０００８】
前記瓶体は、水素の透過を防ぐ金属からなることが好ましい。
【０００９】
前記頂部の上端部には、前記第１の流路に対応した箇所に、表示部を有する圧力計が接続され、前記圧力計は、前記瓶体内の気体の圧力を検知し、前記表示部は、圧力値を表示することが好ましい。
【００１０】
前記放出部の前記接続部と前記呼吸器との間には、凝縮装置が配置され、前記凝縮装置は、流路ベース及び収納部を有し、前記流路ベース内には、前記流路ベースの両側を連通させるように複数の第２の流路が設けられ、前記第２の流路は、前記収納部内で下向きに延設された凝縮管を有し、前記第２の流路は、一方の側部が前記接続部に接続され、他方の側部がロータリージョイントに接続され、前記ロータリージョイントには、前記導管が接続され、前記瓶体から放出されて前記収納部内に入る気体の水分を凝縮させることが好ましい。
【００１１】
前記呼吸器は、ユーザの鼻を覆うように装着され、放出された気体をユーザに供給することが好ましい。
【００１２】
前記頂部の底部に設けられた螺着端の中心箇所に、凹部が設けられ、前記凹部の中心箇所には、雌ねじ孔が設けられ、前記雌ねじ孔には、凝縮部材が螺設されていることが好ましい。
【００１３】
前記凝縮部材は、前記雌ねじ孔に接合される螺着端が一方の端部に設けられ、凝縮端が他方の端部に設けられ、空気が前記凝縮端を通ると、空気中の水分を凝縮させることが好ましい。
【図面の簡単な説明】
【００１４】
【図１】本考案の第１実施形態による気体供給構造を示す分解斜視図である。
【図２】本考案の第１実施形態による気体供給構造に粉末及び水を入れるときの状態を示す気体供給構造の断面図である。
【図３】本考案の第１実施形態による気体供給構造の実際の使用状態を示す気体供給構造の断面図である。
【図４】本考案の第２実施形態による気体供給構造を示す分解斜視図である。
【図５】本考案の第２実施形態による気体供給構造の実際の使用状態を示す気体供給構造の断面図である。
【考案を実施するための形態】
【００１５】
以下、本考案の実施形態について図面に基づいて説明する。なお、これによって本考案が限定されるものではない。
【００１６】
（第１実施形態）
図１〜図３を参照する。図１〜図３に示すように、本考案の第１実施形態による気体供給構造は、特定の粉末Ｓと水Ｗとを混合して発生した気体を気体供給構造内に収集するために用いる。ユーザは、必要に応じてバルブを開き、気体供給構造内で一定の圧力を有する気体を吸入し、必要な栄養分を摂取する。第１実施形態において、気体供給構造に入れる粉末は、水と混合すると水素イオンを発生させる水素化ケイ素パウダーである。第１実施形態の気体供給構造は、少なくとも瓶体１０、頂部１１、放出部４０、凝縮装置５０及び呼吸器６０から構成される。水素イオンは、現在知られている元素で最も小さく、ＰＶＣなどのプラスチック材料を透過してしまうため、瓶体１０は、水素の透過を防ぐ金属によりプレス成形されるが、勿論、水素の透過を防ぐことができる他の材料を利用してもよい。瓶体１０の上部には、開口部１０２が設けられている。開口部１０２の内側には、雌ネジが設けられている。瓶体１０の内部には、上述の粉末及び水を入れて混合する内空間１０１が設けられている。頂部１１は、開口部１０２上に配置されている。頂部１１の内部には、頂部１１の上下端及び側部の三方向に通じる第１の流路１１４が設けられている。頂部１１の上端部には、第１の流路１１４に対応した箇所に、圧力計２０が配置されている。圧力計２０には、表示部２１が配置されている。第１実施形態の圧力計２０は、頂部１１の上面中央部に接続され、粉末Ｓと水Ｗとが瓶体１０の内空間１０１で混合されて発生する気体Ａの圧力を検知するために用いる。ユーザは、表示部２１が表示する内空間１０１内の圧力値を読み取り、使用上の安全を確保する。頂部１１の底部には、開口部１０２上に螺合される螺合部１１１が設けられている。螺合部１１１と開口部１０２との間には、気体を密封するＯリング１１２が配置されている。螺合部１１１が開口部１０２に螺合されると、頂部１１の底部に設けられた第１の流路１１４が内空間１０１と連通する。
【００１７】
頂部１１の側部には、第１の流路１１４に対応した箇所に接合端１１３が設けられている。接合端１１３には、放出部４０が接続されている。放出部４０は、接続端４１と、接続部４２と、バルブ４３と、放出部４０の内部でバルブ４３に接続される弁体４３１と、を有する。接続端４１は、接合端１１３に接続されている。接続端４１と接続部４２との間には、連通孔４３２が設けられている。連通孔４３２の中央部には、弁体４３１が配置されている。弁体４３１の外側には、バルブ４３が接続されている。このバルブ４３を回転させると、連通孔４３２が開閉され、内空間１０１内の気体Ａを選択的に放出させることができる。
【００１８】
放出部４０の接続部４２には、呼吸器６０が接続され、接続部４２と呼吸器６０との間に、凝縮装置５０がさらに配置されている。この凝縮装置５０は、収納部５１、流路ベース５２、凝縮管５３及びロータリージョイント５４を有する。流路ベース５２の内部には、複数の第２の流路５２１，５２２が設けられている。図２を参照する。図２に示すように、流路ベース５２の第２の流路５２１は、下方に延伸した一方の端部に、凝縮管５３が接続され、他方の端部に、放出部４０の接続部４２が接続されている。流路ベース５２下には、容積空間である収納部５１が接続されている。水素イオンを含む気体Ａが、流路ベース５２内の第２の流路５２１を通り、収納部５１に流入するとき、気体Ａに含まれる水分は、凝縮管５３を介して収納部５１の底部に凝縮されるため、放出される気体に水分が混入するのを防ぐことができる。本実施形態の弁体４３１はニードルバルブであるが、勿論その他のボールバルブなどを弁体に応用してもよい。流路ベース５２の第２の流路５２２の端部は、ロータリージョイント５４の端部まで延伸されている。ロータリージョイント５４には、導管６１が接続され、この導管６１は、呼吸器６０に接続されている。ユーザの鼻を覆うように呼吸器６０を装着すると、放出される気体が漏れないように吸入することができる。少なくとも１つの容器７０，８０に入れられた粉末Ｓ及び水Ｗは、頂部１１を外した開口部１０２から内空間１０１に入れられて混合される。粉末Ｓと水Ｗとを混合してから頂部１１を開口部１０２に取り付けると、内空間１０１を密封することができる。
【００１９】
（第２実施形態）
図４及び図５を参照する。図４及び図５に示すように、本考案の第２実施形態による気体供給構造は、小型の瓶体１０を組み合わせることができるように、頂部１１の底部に設けられた螺合部１１１の中心箇所に凹部１１６が設けられ、全体の体積が小さくされている。凹部１１６の中心箇所には、雌ねじ孔１１５が設けられている。凹部１１６及び雌ねじ孔１１５は、第１の流路１１４と連通し、頂部１１の下方に貫設されているため、第１の流路１１４が内空間１０１に連通されている。雌ねじ孔１１５には、凝縮部材１２が螺設されている。この凝縮部材１２は、凝縮装置５０と同様に空気中の水分を凝縮させる機能を有し、雌ねじ孔１１５に接合される螺着端１２１が一方の端部に設けられ、凝縮端１２２が他方の端部に設けられている。凝縮端１２２は、筒状構造であり、外表面に多数設けられた微細な孔を介して空気が凝縮端１２２を通ると、空気中の水分が凝縮され、濾過された空気が乾燥状態となって排出される。本考案の第２実施形態は、他の構造が第１実施形態と同じであるが、凝縮装置５０の代わりに凝縮部材１２が設けられ、接続部４２の側部に直接接続された嵌合ヘッド４４により、導管６１及び呼吸器６０へ気体を送るため、全体の体積を小さくすることができる。
【００２０】
上述したことから分かるように、本考案の気体供給構造は、一定量及び割合で粉末及び水を入れて混合し、ユーザは有益な気体をいつでもどこでも安全に吸入することができる。また、気体供給構造は、繰り返し使用することができ、必要に応じて、異なる粉末及び液体を組み合わせて特定の気体を供給することもできる。本考案の最も大きな特徴は、気体供給構造の瓶体を様々な規格、形状、大きさなどに設計することができるため、ユーザは、必要に応じて、携帯に便利で、軽量かつ小型の瓶体を使用したり、長時間の使用に適した大型の瓶体を使用したりすることができる点である。これにより、高圧で充填された大型で重い従来の瓶体を使用するときに生じていた問題、例えば、携帯が困難な上、繰り返して使用したり異なる気体に交換したりするのが不便であるという問題を解決することができる。
【００２１】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１０  瓶体
１１  頂部
１２  凝縮部材
２０  圧力計
２１  表示部
４０  放出部
４１  接続端
４２  接続部
４３  バルブ
４４  嵌合ヘッド
５０  凝縮装置
５１  収納部
５２  流路ベース
５３  凝縮管
５４  ロータリージョイント
６０  呼吸器
６１  導管
７０  容器
８０  容器
１０１  内空間
１０２  開口部
１１１  螺合部
１１２  Ｏリング
１１３  接合端
１１４  第１の流路
１１５  雌ねじ孔
１１６  凹部
１２１  螺着端
１２２  凝縮端
４３１  弁体
４３２  連通孔
５２１  第２の流路
５２２  第２の流路
Ａ  気体
Ｓ  粉末
Ｗ  水
【図１】
0003171483.tif 000003
【図２】
0003171483.tif 000004
【図３】
0003171483.tif 000005
【図４】
0003171483.tif 000006
【図５】
0003171483.tif 000007